【手続補正書】
【提出日】令和1年10月18日(2019.10.18)
【手続補正１】
【補正対象書類名】特許請求の範囲
【補正対象項目名】全文
【補正方法】変更
【補正の内容】
【特許請求の範囲】
【請求項１】
各々がガス透過層および主要電気活性複合材層を含む、第１の負極および第２の負極と；
前記第１の負極と第２の負極との間に位置し、前記第１の負極に面する第１の補助的電気活性複合材層および前記第２の負極に面する第２の補助的電気活性複合材層を含む、正極と；
前記第１の負極と前記正極との間に位置する第１のセパレーターと；
前記第２の負極と前記正極との間に位置する第２のセパレーターと
を含む、電気化学セルであって、前記第１および第２のセパレーターの各々をイオン性液体で飽和されることが可能である、電気化学セル。
【請求項２】
前記主要電気活性複合材層が、第１の電気活性種が還元状態にある場合に二酸化炭素ガスと結合することが可能であり、第１の電気活性種が酸化状態にある場合に二酸化炭素ガスを放出することが可能である、第１の電気活性種を含む、請求項１に記載の電気化学セル。
【請求項３】
前記主要電気活性複合材層が、還元状態で１０１〜１０３Ｍ−１の二酸化炭素との結合定数を有する第１の電気活性種を含む、請求項１に記載の電気化学セル。
【請求項４】
前記主要電気活性複合材層が、ポリアントラキノンを含む第１の電気活性種を含む、請求項１に記載の電気化学セル。
【請求項５】
前記補助的電気活性複合材層が、ポリビニルフェロセンを含む第２の電気活性種を含む、請求項１に記載の電気化学セル。
【請求項６】
前記主要電気活性複合材層が、第１の電気活性種および第１の炭素質材料の第１の固定化ポリマー複合材を含む、請求項１に記載の電気化学セル。
【請求項７】
前記第１の炭素質材料が、カーボンナノチューブ、グラフェン、およびカーボンブラックからなる群から選択される、請求項６に記載の電気化学セル。
【請求項８】
前記正極が、前記第１の補助的電気活性複合材層と第２の補助的電気活性複合材層との間に位置する基材層をさらに含む、請求項１に記載の電気化学セル。
【請求項９】
前記第１および第２のセパレーターの各々が、室温イオン性液体で飽和されている、請求項１に記載の電気化学セル。
【請求項１０】
室温イオン性液体がＢｍｉｍ  ＢＦ４を含む、請求項１に記載の電気化学セル。
【請求項１１】
ガス入口およびガス出口と流体連通している複数の電気化学セルを含む、ガス分離システムであって、前記複数の電気化学セルの各々が、
各々が第１の電気活性種を含む、第１の多孔性負極および第２の多孔性負極と；
第２の電気活性種を含む正極と；
前記第１の多孔性負極と前記正極との間に位置する第１のセパレーターと；
前記第２の多孔性負極と前記正極との間に位置する第２のセパレーターと
を含み、前記第１および第２のセパレーターの各々をイオン性液体で飽和することが可能である、ガス分離システム。
【請求項１２】
前記第１の電気活性種が第１のポリマー複合材中に固定化されている、請求項１１に記載のガス分離システム。
【請求項１３】
前記第２の電気活性種が第２のポリマー複合材中に固定化されている、請求項１２に記載のガス分離システム。
【請求項１４】
前記第１の電気活性種がポリアントラキノンを含む、請求項１１に記載のガス分離システム。
【請求項１５】
前記第２の電気活性種がポリビニルフェロセンを含む、請求項１４に記載のガス分離システム。
【請求項１６】
各電気化学セルの前記第１および第２の負極および前記正極を横切る電位差を加えるように構成された電源に、各電気化学セルの前記第１および第２の多孔性負極ならびに前記正極を接続する外部回路をさらに含む、請求項１１に記載のガス分離システム。
【請求項１７】
電気化学セルを横切って第１の電位差を加えるステップであって、前記電気化学セルが、
第１の電気活性種を含む少なくとも１つの多孔性負極と；
第２の電気活性種を含む正極と；
導電性液体で飽和され、前記少なくとも１つの多孔性負極と前記正極との間に位置するセパレーターと；
を含む、ステップと、
前記電気化学セルに標的種を含むガスストリームを導入して、前記標的種を前記第１の電気活性種に結合させ、処理されたガスストリームを生成するステップと
を含む、ガスストリームを処理する方法。
【請求項１８】
前記標的種がＣＯ２を含む、請求項１７に記載の方法。
【請求項１９】
前記電気化学セルを横切って第２の電位差を加えて、前記標的種を前記第１の電気活性種から放出させ、標的種を多く含むガスストリームを生成するステップをさらに含む、請求項１７に記載の方法。
【請求項２０】
前記第１の電気活性種がポリアントラキノンを含む、請求項１７に記載の方法。
【請求項２１】
電気化学セルの第１のセットおよび電気化学セルの第２のセットを含むガス分離システムを作動させる方法であって、
前記ガス分離システムに標的種を含むガスストリームを導入するステップと；
電気化学セルの前記第１のセットを充電モードで作動させて、前記標的種を電気化学セルの前記第１のセットの第１の電気活性種に結合させ、処理されたガスストリームを生成するステップと；
同時に電気化学セルの前記第２のセットを放電モードで作動させて、前記標的種を電気化学セルの前記第２のセットの前記第１の電気活性種から放出させ、標的種を多く含むガスストリームを生成するステップと；
を含み、電気化学セルの前記第１および第２のセットの各電気化学セルが、
第１の電気活性種を含む少なくとも１つの多孔性負極と；
第２の電気活性種を含む正極と；
イオン性液体で飽和され、前記少なくとも１つの多孔性負極と前記正極との間に位置するセパレーターと；
を含む、方法。
【手続補正２】
【補正対象書類名】明細書
【補正対象項目名】０１１２
【補正方法】変更
【補正の内容】
【０１１２】
特許請求の範囲において、ならびに上記の本明細書において、すべての移行句、例えば「含む（ｃｏｍｐｒｉｓｉｎｇ）」、「含む（ｉｎｃｌｕｄｉｎｇ）」、「保有する（ｃａｒｒｉｎｇ）」、「有する（ｈａｖｉｎｇ）」、「含有する（ｃｏｎｔａｉｎｉｎｇ）」、「伴う（ｉｎｖｏｌｖｉｎｇ）」、「保持する（ｈｏｌｄｉｎｇ）」などは、制約がない、すなわち、含むが限定はされないと理解するべきである。「からなる」および「から本質的になる」という移行句のみが、United  States  Patent  Office  Manual  of  Patent  Examining  Procedures、２１１１．０３章にそれぞれ示されるように、限定的または半限定的となる。
本発明は、例えば以下の項目を提供する。
（項目１）
各々がガス透過層および主要電気活性複合材層を含む、第１の負極および第２の負極と；
前記第１の負極と第２の負極との間に位置し、前記第１の負極に面する第１の補助的電気活性複合材層および前記第２の負極に面する第２の補助的電気活性複合材層を含む、正極と；
前記第１の負極と前記正極との間に位置する第１のセパレーターと；
前記第２の負極と前記正極との間に位置する第２のセパレーターと
を含む、電気化学セルであって、前記第１および第２のセパレーターの各々をイオン性液体で飽和されることが可能である、電気化学セル。
（項目２）
前記主要電気活性複合材層が、第１の電気活性種が還元状態にある場合に二酸化炭素ガスと結合することが可能であり、第１の電気活性種が酸化状態にある場合に二酸化炭素ガスを放出することが可能である、第１の電気活性種を含む、項目１に記載の電気化学セル。
（項目３）
前記主要電気活性複合材層が、還元状態で１０１〜１０３Ｍ−１の二酸化炭素との結合定数を有する第１の電気活性種を含む、項目１に記載の電気化学セル。
（項目４）
前記主要電気活性複合材層が、ポリアントラキノンを含む第１の電気活性種を含む、項目１に記載の電気化学セル。
（項目５）
前記補助的電気活性複合材層が、ポリビニルフェロセンを含む第２の電気活性種を含む、項目１に記載の電気化学セル。
（項目６）
前記主要電気活性複合材層が、第１の電気活性種および第１の炭素質材料の第１の固定化ポリマー複合材を含む、項目１に記載の電気化学セル。
（項目７）
前記第１の炭素質材料が、カーボンナノチューブ、グラフェン、およびカーボンブラックからなる群から選択される、項目６に記載の電気化学セル。
（項目８）
前記補助的電気活性複合材層が、第２の電気活性種および第２の炭素質材料の第２の固定化ポリマー複合材を含む、項目６に記載の電気化学セル。
（項目９）
前記第２の炭素質材料が、カーボンナノチューブ、グラフェン、およびカーボンブラックからなる群から選択される、項目８に記載の電気化学セル。
（項目１０）
前記正極が、前記第１の補助的電気活性複合材層と第２の補助的電気活性複合材層との間に位置する基材層をさらに含む、項目１に記載の電気化学セル。
（項目１１）
前記基材層が、カーボン紙、炭素布、および不織炭素マットからなる群から選択される材料を含む、項目１０に記載の電気化学セル。
（項目１２）
前記第１および第２のセパレーターの各々が、セルロース膜、ポリマー材料、またはポリマー−セラミック複合材料のうちの１つを含む、項目１に記載の電気化学セル。
（項目１３）
前記第１および第２のセパレーターの各々が、室温イオン性液体で飽和されている、項目１に記載の電気化学セル。
（項目１４）
室温イオン性液体がＢｍｉｍ  ＢＦ４を含む、項目１に記載の電気化学セル。
（項目１５）
前記ガス透過層が、カーボン紙、炭素布、および不織炭素マットからなる群から選択される材料を含む、項目１に記載の電気化学セル。
（項目１６）
前記ガス透過層が７０％〜９０％の多孔度を有する、項目１に記載の電気化学セル。
（項目１７）
前記第１および第２の負極ならびに前記正極に電位差を加えるように構成された電源に、前記第１および第２の負極ならびに前記正極を接続する外部回路をさらに含む、項目１に記載の電気化学セル。
（項目１８）
ガス入口およびガス出口と流体連通している複数の電気化学セルを含む、ガス分離システムであって、前記複数の電気化学セルの各々が、
各々が第１の電気活性種を含む、第１の多孔性負極および第２の多孔性負極と；
第２の電気活性種を含む正極と；
前記第１の多孔性負極と前記正極との間に位置する第１のセパレーターと；
前記第２の多孔性負極と前記正極との間に位置する第２のセパレーターと
を含み、前記第１および第２のセパレーターの各々をイオン性液体で飽和することが可能である、ガス分離システム。
（項目１９）
前記第１の電気活性種が第１のポリマー複合材中に固定化されている、項目１８に記載のガス分離システム。
（項目２０）
前記第２の電気活性種が第２のポリマー複合材中に固定化されている、項目１９に記載のガス分離システム。
（項目２１）
前記第１の電気活性種がポリアントラキノンを含む、項目１８に記載のガス分離システム。
（項目２２）
前記第２の電気活性種がポリビニルフェロセンを含む、項目２１に記載のガス分離システム。
（項目２３）
前記第１および第２のセパレーターの各々が室温イオン性液体で飽和されている、項目１８に記載のガス分離システム。
（項目２４）
前記室温イオン性液体がＢｍｉｍ  ＢＦ４を含む、項目２３に記載のガス分離システム。
（項目２５）
前記第１および第２の多孔性負極の各々が７０％〜９０％の間の多孔度を有する、項目１８に記載のガス分離システム。
（項目２６）
各電気化学セルの前記第１および第２の負極および前記正極を横切る電位差を加えるように構成された電源に、各電気化学セルの前記第１および第２の多孔性負極ならびに前記正極を接続する外部回路をさらに含む、項目１８に記載のガス分離システム。
（項目２７）
電気化学セルを横切って第１の電位差を加えるステップであって、前記電気化学セルが、
第１の電気活性種を含む少なくとも１つの多孔性負極と；
第２の電気活性種を含む正極と；
導電性液体で飽和され、前記少なくとも１つの多孔性負極と前記正極との間に位置するセパレーターと；
を含む、ステップと、
前記電気化学セルに標的種を含むガスストリームを導入して、前記標的種を前記第１の電気活性種に結合させ、処理されたガスストリームを生成するステップと
を含む、ガスストリームを処理する方法。
（項目２８）
前記標的種がＣＯ２を含む、項目２７に記載の方法。
（項目２９）
前記第１の電位差が０．５Ｖ〜２．０Ｖの間である、項目２７に記載の方法。
（項目３０）
前記電気化学セルを横切って第２の電位差を加えて、前記標的種を前記第１の電気活性種から放出させ、標的種を多く含むガスストリームを生成するステップをさらに含む、項目２７に記載の方法。
（項目３１）
前記第２の電位差が−０．５Ｖ〜−２．０Ｖの間である、項目３０に記載の方法。
（項目３２）
前記第１の電気活性種がポリアントラキノンを含む、項目２７に記載の方法。
（項目３３）
前記第２の電気活性種がポリビニルフェロセンを含む、項目２７に記載の方法。
（項目３４）
前記導電性液体が室温イオン性液体を含む、項目２７に記載の方法。
（項目３５）
前記室温イオン性液体がＢｍｉｍ  ＢＦ４を含む、項目３４に記載の方法。
（項目３６）
電気化学セルの第１のセットおよび電気化学セルの第２のセットを含むガス分離システムを作動させる方法であって、
前記ガス分離システムに標的種を含むガスストリームを導入するステップと；
電気化学セルの前記第１のセットを充電モードで作動させて、前記標的種を電気化学セルの前記第１のセットの第１の電気活性種に結合させ、処理されたガスストリームを生成するステップと；
同時に電気化学セルの前記第２のセットを放電モードで作動させて、前記標的種を電気化学セルの前記第２のセットの前記第１の電気活性種から放出させ、標的種を多く含むガスストリームを生成するステップと；
を含み、電気化学セルの前記第１および第２のセットの各電気化学セルが、
第１の電気活性種を含む少なくとも１つの多孔性負極と；
第２の電気活性種を含む正極と；
イオン性液体で飽和され、前記少なくとも１つの多孔性負極と前記正極との間に位置するセパレーターと；
を含む、方法。
（項目３７）
前記標的種がＣＯ２を含む、項目３６に記載の方法。
（項目３８）
電気化学セルの前記第１のセットを充電モードで作動させるステップが、前記第１のセットの各電気化学セルを横切って０．０Ｖ〜２．０Ｖの第１の電位差を加えることを含む、項目３６に記載の方法。
（項目３９）
電気化学セルの前記第２のセットを放電モードで作動させるステップが、第２のセットの各電気化学セルを横切って０．０Ｖ〜−２．０Ｖの第２の電位差を加えることを含む、項目３８に記載の方法。
（項目４０）
前記第１の電位差を逆転させて、電気化学セルの前記第１のセットを放電モードで作動させるステップをさらに含む、項目３９に記載の方法。
（項目４１）
前記第２の電位差を逆転させて、電気化学セルの前記第２のセットを充電モードで作動させるステップをさらに含む、項目４０に記載の方法。
（項目４２）
前記第１の電気活性種がポリアントラキノンを含む、項目３６に記載の方法。
（項目４３）
前記第２の電気活性種がポリビニルフェロセンを含む、項目３６に記載の方法。
（項目４４）
前記導電性液体が室温イオン性液体を含む、項目３６に記載の方法。
（項目４５）
前記室温イオン性液体がＢｍｉｍ  ＢＦ４を含む、項目４４に記載の方法。